(57)【特許請求の範囲】
【請求項１】
一方向に延びる一対の対向する内壁面を有し、その内壁面間において、両端部が扁平に潰され、中央胴部が円筒形にされた複数の包装アンプルを上記中央胴部が互いに平行になる状態で収納する収納空間を形成するアンプル収納容器であって、
前記一対の内壁面のそれぞれには、この内壁面の全長にわたって、前記一方向に延びる突出部が、包装アンプルの中央胴部に対向する位置に形成されており、この突出部によって、包装アンプルの前記扁平端部を前記内壁面に接触しないようにしており、前記アンプル収納空間の長手方向一端には、包装アンプルを払出すための開口が形成されている定量払出し用のアンプル収納容器。
【請求項２】
アンプルを包装材で包装し、その包装材の両端部を扁平に圧着したスティック状の包装アンプルを中央部の円筒形胴体部が略並行する状態で収納可能な収納空間を有し、その収納空間の一端に包装アンプルの払出し口を設け、前記収納空間の対向内面には、包装アンプルの胴体部と対向する位置に、前記払出し口に向けて延びて包装アンプルを単列状態に収納すると共に、その包装アンプルの両端の扁平部を前記対向内面に非接触状態に保持する一対の突出部を設けた定量払出し用のアンプル収納容器。
【請求項３】
一方向に延びる一対の対向する内壁面を有し、その内壁面間において、両端部が扁平に潰され、中央胴部が円筒形とされた複数の包装アンプルを上記中央胴部が互いに平行になる状態で収納する収納空間を形成するアンプル収納容器であって、
前記内壁面には、この内壁面の全長にわたって、前記一方向に延びる突出部が、包装アンプルの上方で、前記アンプルの中央胴部に対向する位置に形成されており、前記突出部に対向して前記一方向にベルトコンベヤが設けられており、アンプルの中央胴部のみがこのベルトコンベヤに支持され、扁平な両端はベルトコンベヤには支持されておらず、前記突出部によって包装アンプルの前記扁平端部を前記内壁面に接触しないようにしており、前記アンプル収納空間の長手方向一端には、包装アンプルを払出すための開口が形成されている定量払出し用のアンプル収納容器。
【請求項４】
アンプルを包装材で包装し、その包装材の両端部を扁平に圧着したスティック状包装アンプルの円筒形胴体部を支持するベルトコンベヤ上に、包装アンプルを胴体部が並列する単列状態で収納可能な収納空間を設け、前記ベルトコンベヤによって包装アンプルの胴体部が支持される状態で包装アンプルの両端の扁平部が収納空間の前記ベルトコンベヤと対向する内面と非接触に保持されるようにし、前記収納空間の前記ベルトコンベヤの排出端側の端部に包装アンプルの払出し口を設けた定量払出し用のアンプル収納容器。
【請求項５】
請求項１又は２に記載のアンプル収納容器における払出し口に、包装アンプルを一本ずつ払い出す払出し手段を設けたアンプル定量供給装置。
【請求項６】
前記払出し手段が、モータによって一方向に回転される円筒形のロータから成り、そのロータの外周に包装アンプルの一部が収納される円弧状の収容溝を形成し、その収容溝の内周に包装アンプルの胴体部との接触により扁平な両端部を収容溝の内周と非接触の状態に保持する段部を設けた請求項５に記載のアンプル定量供給装置。
【請求項７】
請求項３又は４に記載のアンプル収納容器における払出し口に断面コの字形の排出枠を、その一側の開口が払出し口と対向するよう設け、その排出枠に支持される包装アンプルの両端が上下となる方向に排出枠を回転させるモータを設けたアンプル定量供給装置。
【請求項８】
請求項３又は４に記載のアンプル収納容器における払出し口に断面Ｌ形の排出枠を設け、その排出枠に支持される包装アンプルの両端が上下となる方向に排出枠を回転させるモータを設けたアンプル定量供給装置。
【発明の詳細な説明】
【０００１】
【発明の属する技術分野】
この発明は、遮光性を有する包装材によって包装されたスティック状の包装アンプルを収納する定量払出し用のアンプル収納容器およびアンプル定量供給装置に関するものである。
【０００２】
【従来の技術】
医薬の分野で利用されるアンプルは光透過性を有しているため、光分解性の高い内容液が充填されていると、アンプルを透過する光によって内容液が変化して、薬効が失われることになる。
【０００３】
そのような不都合を解消するため、光分解性の高い内容液が充填されたアンプルは、特開平４−２５３６１３号公報に記載されているように、遮光性の包装材により包装して光の透過を防止するようにしている。
【０００４】
図８は、遮光性包装材によって包装された包装アンプルを示す。この包装アンプルＡは、アンプル１の外周に遮光性を有する包装材２を巻付け、その包装材２の両端部を圧着して扁平部３を設けている。
【０００５】
上記包装アンプルＡは包装材２の巻付けにより包装しているため、両端間の中央部に円筒形の胴体部４を有している。
【０００６】
一般に、アンプルには内容液の異なる多種類のものが存在し、その多種類の中から指定されたアンプルを取り出してナースステーションや処置室に搬送する作業を薬剤師が手作業によって行うと、作業性に問題が生じる。
【０００７】
そのような問題点を解決するため、特開平５−２２９６６０号公報に記載された貯溜供給装置においては、アンプル収納容器内にアンプルを単列状態で収納し、そのアンプルをアンプル収納容器の下部から１本ずつ払い出すようにしている。
【０００８】
【発明が解決しようとする課題】
ところで、上記公報に記載された貯溜供給装置によって図８に示すような包装アンプルＡを機械的に取り出ししようとすると、包装アンプルＡは両端部に扁平部３を有しているため、アンプル収納容器内において包装アンプルＡに詰まりが生じ、一本ずつ確実に払い出すことができない。
【０００９】
この発明の課題は、図８に示すような包装アンプルを一本ずつ確実に払い出すことができるようにした定量払出し用のアンプル収納容器およびアンプル定量供給装置を提供することである。
【００１０】
【課題を解決するための手段】
上記の課題を解決するために、この発明に係る定量払出し用のアンプル収納容器においては、アンプルを包装材で包装し、その包装材の両端部を扁平に圧着したスティック状の包装アンプルを中央部の円筒形胴体部が略並行する状態で収納可能な収納空間を有し、その収納空間の一端に包装アンプルの払出し口を設け、前記収納空間でのアンプル支持を包装アンプルの胴体部での支持として、扁平な両端部を非接触の支持とした構成を採用している。
【００１１】
上記のように、包装アンプルの円筒形胴体部を支持し、扁平な両端部を非接触の支持とすることにより、包装アンプルを払出し口に向けてスムーズに移動させることができる。
【００１２】
ここで、前記収納空間でのアンプル支持は、収納空間の内面に形成された突出部であってもよく、あるいは、包装アンプルを払出し口に向けて移送するエンドレスのコンベヤベルトであってもよい。
【００１３】
突出部を設けたアンプル収納容器においては、払出し口が下部に位置する垂直の状態、あるいは上記突出部を下側として傾斜させた状態で使用する。
【００１４】
一方、コンベヤベルトによって包装アンプルの胴体部を支持するアンプル収納容器においては、そのコンベヤベルトが下部に位置するほぼ水平の状態で使用する。
【００１５】
また、この発明に係るアンプル定量供給装置においては、前記アンプル収納容器における払出し口に、包装アンプルを一本ずつ払い出す払出し手段を設けた構成を採用している。
【００１６】
上記のように、払出し口に払出し手段を設けることによって、収納空間から払出し口に向けて移動する包装アンプルを払出し手段の作動により一本がつ払い出すことができ、包装アンプルを機械的に定量供給することができる。
【００１７】
ここで、払出し手段として、モータにより回転駆動される円筒形のロータの外周に、包装アンプルの一部が収容可能な収容溝を形成し、この収容溝の内周に包装アンプルの胴体部との接触によって包装アンプルの両端の扁平部を収納溝の内周に対して非接触に保持する段部を設け、前記ロータの回転によって包装アンプルを一本ずつ払い出すようにしたものを採用することができる。
【００１８】
【発明の実施の形態】
以下、この発明の実施の形態を図１乃至ガイド７に基づいて説明する。
【００１９】
図１乃至図３に示すように、アンプル収納容器１０は、円筒状の容器本体１１と、その容器本体１１の下端部を支持する台座１２とから成り、前記台座１２の上面には嵌合溝１３が形成されている。嵌合溝１３は台座１２の外周端面で開口し、その開口から嵌合溝１３内に容器本体１１の下端部を着脱し得るようになっている。
【００２０】
容器本体１１は、開閉自在の蓋体１４を有し、その蓋体１４を閉鎖することによって容器本体１１内に上下方向に延びる角形の収納空間１５が形成される。
【００２１】
収納空間１５は、図８に示す包装アンプルＡを円筒形胴体部４が並列する単列状態で収納可能とされている。この収納空間１５の対向内面には、収納空間１５内に収納された包装アンプルＡの胴体部４と対向する位置に上下方向に長く延びる突出部１６が設けられている。
【００２２】
突出部１６の幅は、包装アンプルＡの胴体部４の長さ以下とされ、その突出部１６に包装アンプルＡの胴体４が接触する状態において、包装アンプルＡの両端部の扁平部３は収納空間１５の対向内面に対して非接触の状態に保持される。
【００２３】
前記収納空間１５の下端は開口し、その開口部の一側にストッパ１７が設けられている。ストッパ１７はＬ形をなし、その上部はピン１８を中心として揺動され、図示省略したスプリングによって下端が収納空間１５の下端開口に臨む方向に付勢されている。
【００２４】
上記ストッパ１７は、台座１２上から容器本体１１を取り出したとき、下端が収納空間１５の下端開口部に臨んで、収納空間１５内に収納された包装アンプルＡが落下排出されるのを防止し、上記容器本体１１を台座１２上にセットしたとき、図示省略した後退動手段によって下端が収納空間１５の下端開口から退避した位置に後退動される。
【００２５】
前記台座１２には、容器本体１１の収納空間１５の下端開口と連通する払出し口１９が設けられている。払出し口１５の一側には円筒形のロータ２０が設けられている。ロータ２０の外周には包装アンプルＡの一部が収納可能な収容溝２１が形成されている。収容溝２１の内周には包装アンプルＡの胴体部４と接触可能な段部２２が設けられ、その段部２２に胴体部４が支持される状態において、包装アンプルＡの両端の扁平部３は収容溝２１の内周と非接触の状態に保持される。
【００２６】
ここで、ロータ２０は、その外周の円筒面２３が払出し口１９のロータと対向する内面２４に設けた突出部１６ａと対向する状態において、その円筒面２３と突出部１６ａとの間に包装アンプルＡの落下を阻止する間隔が形成されるよう、その取付け位置が規制されている。ここで、突出部１６ａは収納空間１５の一方の突出部１６に延長する位置に設けられている。
【００２７】
いま、容器本体１１内に包装アンプルＡが単列状態に収納される状態において、ロータ２０をその端部に接続したモータＭによって図３の矢印で示す方向に回転すると、最下位の包装アンプルＡはロータ２０の収容溝２１内に侵入し、その収容溝２１内に侵入した包装アンプルＡはロータ２０の回転により払出し口１９から排出されると共に、その包装アンプルＡに続く包装アンプルＡはロータ２０の外周の円筒面２３で受けられて落下するのが阻止される。
【００２８】
このため、容器本体１１内に収納される包装アンプルＡはロータ２０の回転によって下部から一本ずつ払い出されることになる。
【００２９】
上記ような包装アンプルＡの払出し時、容器本体１１の対向内面には包装アンプルＡの胴体部４と接触可能な突出部１６が設けられ、その突出部１６に包装アンプルＡの胴体部４が接触する状態で、包装アンプルＡの両端の扁平部３は収納空間１５の対向面と非接触の状態に保持されるため、包装アンプルＡは収納空間１５内において詰まりを生じることなく払出し口１９に向けてスムーズに移動する。
【００３０】
また、ロータ２０に形成された収容溝２１の内周には包装アンプルＡの胴体部４を支持する段部２２が設けられているため、収容溝２１内に包装アンプルＡの一部が侵入すると、この包装アンプルＡは段部２２によって胴体部４が支持され、その支持状態において包装アンプルＡの両端部の扁平部３は収容溝２１の内周と非接触の状態に保持される。
【００３１】
このため、収容溝２１内に侵入した包装アンプルＡの侵入状態は常に一定し、ロータ２０と払出し口１９の突出部１６ａ間において包装アンプルＡが噛み込まれるという不都合の発生はなく、包装アンプルＡを一本がつ確実にスムーズに払いだすことができる。
【００３２】
なお、包装アンプルＡの払出しによって容器本体１１内の包装アンプルＡが少量となり、あるいは空になると、台座１２から容器本体１１を取り外し、蓋体１４の開放によって容器本体１１内に包装アンプルＡを補充する。
【００３３】
図１乃至図３に示す実施の形態においては、アンプル収納容器Ａを垂直の状態として使用するようにしたが、図４に示すように、払出し口１９が下方となるように傾斜させて使用してもよい。
【００３４】
図５および図６は、この発明に係るアンプル定量供給装置の他の例を示す。この例においては、天板３１および一対の側板３２を有するガイド枠３０の一端に包装アンプルＡが貯溜されるホッパ３３を接続し、前記ガイド枠３０の下方には、供給端部が前記ホッパ３３の下端出口に臨むコンベヤベルト３４を設け、このコンベヤベルト３４の上側のキャリア側ベルト３４ａとガイド枠３０間に包装アンプルＡを胴体部４が並列する単列状態で収納可能な収納空間３５を設けている。
【００３５】
また、収納空間３５の一端に払出し口３６を形成し、その払出し口３６に包装アンプルＡを一本がつ払出す払出し装置４０を設けている。
【００３６】
コンベヤベルト３４は包装アンプルＡの胴体部４を支持して払出し口３６に向けて移送させるようになっており、上記胴体部４がコンベヤベルト３４で支持される状態において、両端の扁平部３は収納空間３５と非接触の状態に支持されるようになっている。
【００３７】
払出し装置４０は、断面がコの字形の排出枠４１を、その一側の開口を払出し口３６に対向し、この排出枠４１をモータ４２で回転させるようにしている。
【００３８】
上記の構成から成るアンプル供給装置は、コンベヤベルト３４の矢印方向の移動によって包装アンプルａを払出し口３６に向けて移動し、その払出し口３６から排出枠４１内に先頭の包装アンプルＡが送り込まれたとき、排出枠４１を回転して包装アンプルＡを自然落下させるようにしている。
【００３９】
上記のような包装アンプルＡの払出し時、収納空間３５内の包装アンプルＡはコンベヤベルト３４によって胴体部４が支持されるため、包装アンプルＡは高さが一定すると共に、前記胴体部４の支持によって包装アンプルＡは両端の扁平部３が収納空間３５と非接触の支持されるため、包装アンプルＡを単列の整列状態で払出し口３６に向けてスムーズに移送することができ、包装アンプルＡを一本ずつ確実に払い出すことができる。
【００４０】
なお、包装アンプルＡが払出されると、ホッパ３３から収納空間３５に包装アンプルＡが補充される。
【００４１】
図５および図６に示す実施の形態では排出枠４１として包装アンプルＡの胴体部４を支持するコの字形のものを示したが、図７に示すように、Ｌ字形の排出枠４３を用いるようにしてもよい。この場合、その排出枠４３が包装アンプルＡと同じ長さのものを用いるときには、その排出枠４３の中央部に包装アンプルＡの胴体部４を支持する段部４４を形成し、その段部４４の両端に傾斜面４５を設けて包装アンプルＡがスムーズに落下排出させるようにしておくのがよい。
【００４２】
【発明の効果】
以上のように、この発明においては、スティック状の包装アンプルを中央の円筒形胴体部が略並列する状態で収納可能な収納空間でのアンプル支持を包装アンプルの胴体部での支持とし、扁平な両端部の支持を非接触の支持としたことによって、包装アンプルを整列状態を保って払出し口に向けてスムーズに移動させることができ、払出し口に設けた払出し手段によって包装アンプルを一本ずつ確実に定量排出することができる。
【００４３】
また、包装アンプルを定量排出するロータの外周に収容溝を形成し、その収容溝の内周に包装アンプルの胴体部を支持する段部を設けたことによって、収容溝に侵入した包装アンプルは前記段部で胴体部が支持されて扁平な両端部は収容溝の内周と非接触の状態に保持されるため、支持状態は常に一定し、ロータの回転によって包装アンプルを一本ずつ確実に排出することができる。
【図面の簡単な説明】
【図１】この発明に係るアンプル定量供給装置の縦断正面図
【図２】図１のII−II線に沿った断面図
【図３】図１のIII −III 線に沿った断面図
【図４】図１に示すアンプル定量供給装置の他の使用状態を示す一部切欠側面図
【図５】この発明に係るアンプル定量供給装置の他の例を示す縦断正面図
【図６】図５の底面図
【図７】図６に示す払出し装置の他の例を示す斜視図
【図８】包装アンプルを示す斜視図
【符号の説明】
Ａ  包装アンプル
１  アンプル
２  包装材
１５  収納空間
１６  突出部
１９  払出し口
２０  ロータ
２１  収容溝
２２  段部
３４  コンベヤベルト
３５  収納空間
３６  払出し口
４０  払出し装置
【図１】
0004163806.tif 000002
【図２】
0004163806.tif 000003
【図３】
0004163806.tif 000004
【図４】
0004163806.tif 000005
【図５】
0004163806.tif 000006
【図６】
0004163806.tif 000007
【図７】
0004163806.tif 000008
【図８】
0004163806.tif 000009